(57)【要約】【課題】電線の損傷を防止することができる負荷駆動装置及び照明装置を提供する。【解決手段】電源カバー３１は、直方体状の箱体をなし、天板３１０、短手側の側板３１１、３１１、長手側の側板３１５で構成され、電源基板を取り付けことができるよう、６面のうち２面が開口されている。側板３１１は、フレームの一方の枠板側の第１縁辺３１２、フレームの底板側の第２縁辺３１３を有する。そして、第１縁辺３１２の中途部には、底板側の第２縁辺３１３から離隔して電線を保持するための保持孔３１４を形成してある。電源ユニットを本体フレームに収容すべく取り付ける際に保持孔３１４に電線を通して保持する。【選択図】図４
2010238621.tif 000002
【特許請求の範囲】
【請求項１】
底板及び該底板に離隔して対設された枠板を有する筐体部と、該筐体部に収容され、前記底板及び一方の枠板に縁辺が配される側板を有し、前記底板及び一方の枠板側の面に開口部を有し、さらに電線が接続され負荷を駆動する駆動部を有する被収容部とを備える負荷駆動装置において、
前記側板は、
前記一方の枠板側の第１縁辺に前記底板側の第２縁辺から離隔して前記電線を保持するための保持孔を備えることを特徴とする負荷駆動装置。
【請求項２】
前記保持孔は、
前記第１縁辺に形成された第１保持孔と、
前記第１縁辺から離隔して前記第２縁辺の方向に沿って前記第１保持孔から延設された第２保持孔と
を備えることを特徴とする請求項１に記載の負荷駆動装置。
【請求項３】
前記第２保持孔の長さは、前記第１保持孔の長さより長いことを特徴とする請求項２に記載の負荷駆動装置。
【請求項４】
前記第２保持孔の幅は、前記第１保持孔の幅より大きいことを特徴とする請求項２又は請求項３に記載の負荷駆動装置。
【請求項５】
前記保持孔は、
前記第１縁辺から離隔して前記第２縁辺の方向と反対方向に沿って前記第１保持孔から延設された第３保持孔をさらに備えることを特徴とする請求項２から請求項４までのいずれか１項に記載の負荷駆動装置。
【請求項６】
前記第３保持孔の幅は、前記第１保持孔の幅より大きいことを特徴とする請求項５に記載の負荷駆動装置。
【請求項７】
前記一方の枠板は、
前記側板の縁辺に沿って該側板に近接して前記保持孔の一部を塞ぐ塞部を備えることを特徴とする請求項１から請求項６までのいずれか１項に記載の負荷駆動装置。
【請求項８】
光源部と、請求項１から請求項７までのいずれか１項に記載の負荷駆動装置とを備え、該駆動装置は前記光源部を駆動するように構成してあることを特徴とする照明装置。
【発明の詳細な説明】
【技術分野】
【０００１】
本発明は、負荷を駆動する駆動部を有する負荷駆動装置に関し、特に、電線が接続された駆動部を内蔵した被収容部を筐体部に収容した場合の電線の損傷を防止することができる負荷駆動装置及び該負荷駆動装置を備える照明装置に関する。
【背景技術】
【０００２】
従来、光源やその他の負荷を駆動する駆動装置（例えば、電源回路など）は、回路基板に商用電源や負荷からの電線がコネクタ等を介して接続され、充電部が直接手に触れないように回路基板をカバーに内蔵した電源ボックスとして構成されている。駆動装置である電源ボックスは、フレームなどの筐体に収容され、電源ボックスからの電線は、筐体内を配線され、光源や負荷、端子台などに接続されている。
【０００３】
このような商用電源からの電線や負荷に接続される電線を筐体内でいかに配線するかは、電線へのストレスや損傷を防ぐ上で重要である。例えば、ブラケットの外周部の一部に突起を設け、かつ突起の近傍にカギ型引掛け部を設けることにより、この間隙に配線を通し保持した構造とすることにより、配線を抜けにくくすることができる電子機器の配線構造が開示されている（特許文献１参照）。
【先行技術文献】
【特許文献】
【０００４】
【特許文献１】実開平２−２０３８１号公報
【発明の概要】
【発明が解決しようとする課題】
【０００５】
しかしながら、特許文献１に開示されたような従来の配線構造の場合、引掛け部の間隙は開口しているため、配線の固定が十分ではなく、引掛け部から外れてしまうおそれがあり、配線が外れた状態では、配線に外部からストレスが加わり、また、損傷を受けるという問題があった。
【０００６】
特に、従来のように電源ボックス等の被収容部を筐体に収容する場合、電源ボックスからの電線をいかに配線するかを考慮しないと電線が筐体と被収容部との間で挟まれて損傷を受けるおそれがある。
【０００７】
本発明は斯かる事情に鑑みてなされたものであり、電線の損傷を防止することができる負荷駆動装置及び該負荷駆動装置を備える照明装置を提供することを目的とする。
【課題を解決するための手段】
【０００８】
本発明に係る負荷駆動装置は、底板及び該底板に離隔して対設された枠板を有する筐体部と、該筐体部に収容され、前記底板及び一方の枠板に縁辺が配される側板を有し、前記底板及び一方の枠板側の面に開口部を有し、さらに電線が接続され負荷を駆動する駆動部を有する被収容部とを備える負荷駆動装置において、前記側板は、前記一方の枠板側の第１縁辺に前記底板側の第２縁辺から離隔して前記電線を保持するための保持孔を備えることを特徴とする。
【０００９】
本発明にあっては、筐体部は、底板及び底板に離隔して対設された枠板を有する。被収容部は、筐体部に収容される。そして、被収容部は、底板及び一方の枠板に縁辺が配される側板を有し、電線が接続され負荷を駆動する駆動部を有する。被収容部の側板は、一方の枠板側の第１縁辺に底板側の第２縁辺から離隔して電線を保持するための保持孔を備える。これにより、被収容部を筐体部に収容すべく取り付ける際に保持孔に電線を通して保持することができ、また、保持孔は底板側の第２縁辺から離隔しているので、被収容部を筐体部に収容する際に電線を被収容部と底板との間で挟み込んでしまうという問題もなく、電線の損傷を防止することができる。
【００１０】
本発明に係る負荷駆動装置は、前記保持孔は、前記第１縁辺に形成された第１保持孔と、前記第１縁辺から離隔して前記第２縁辺の方向に沿って前記第１保持孔から延設された第２保持孔とを備えることを特徴とする。
【００１１】
本発明にあっては、保持孔は、第１縁辺に形成された第１保持孔と、第１縁辺から離隔して第２縁辺の方向に沿って第１保持孔から延設された第２保持孔とを備える。すなわち、保持孔は、略Ｌ字状をなしてあり、被収容部を筐体部に収容すべく取り付ける際に、まず電線を第１保持孔に通し、その後第２保持孔に通すことができる。これにより、被収容部を筐体部に収容する場合、被収容部を下方向（重力方向）に向かって取り付けるので、電線が第２保持孔を重力方向に移動し、電線を一層安定に保持することができる。
【００１２】
本発明に係る負荷駆動装置は、前記第２保持孔の長さは、前記第１保持孔の長さより長いことを特徴とする。
【００１３】
本発明にあっては、第２保持孔の長さは、第１保持孔の長さより長い。これにより、電線の量が多い場合でも、一旦電線を第１保持孔から第２保持孔へ移動して保持すれば、電線を一層安定に保持することができる。
【００１４】
本発明に係る負荷駆動装置は、前記第２保持孔の幅は、前記第１保持孔の幅より大きいことを特徴とする。
【００１５】
本発明にあっては、第２保持孔の幅は、第１保持孔の幅より大きい。これにより、一旦電線を第１保持孔から第２保持孔へ移動して保持すれば、第２保持孔内で保持された電線が幅の小さい第１保持孔を通る可能性が小さくなり、電線を確実に保持することができる。
【００１６】
本発明に係る負荷駆動装置は、前記保持孔は、前記第１縁辺から離隔して前記第２縁辺の方向と反対方向に沿って前記第１保持孔から延設された第３保持孔をさらに備えることを特徴とする。
【００１７】
本発明にあっては、保持孔は、第１縁辺から離隔して第２縁辺の方向と反対方向に沿って第１保持孔から延設された第３保持孔をさらに備える。すなわち、保持孔は、略Ｔ字状をなす。電線を第２保持孔に保持した状態で、筐体部を上方にして取り付ける場合でも、第２保持孔に保持された電線が重力の作用で第３保持孔に移動して第３保持孔で保持されるので、取り付け向きに関わらず電線を安定に保持することができる。
【００１８】
本発明に係る負荷駆動装置は、前記第３保持孔の幅は、前記第１保持孔の幅より大きいことを特徴とする。
【００１９】
本発明にあっては、第３保持孔の幅は、第１保持孔の幅より大きい。これにより、重力の作用で電線が第２保持孔から第３保持孔へ移動しても、第３保持孔内で保持された電線が幅の小さい第１保持孔を通る可能性が小さくなり、電線を確実に保持することができる。
【００２０】
本発明に係る負荷駆動装置は、前記一方の枠板は、前記側板の縁辺に沿って該側板に近接して前記保持孔の一部を塞ぐ塞部を備えることを特徴とする。
【００２１】
本発明にあっては、一方の枠板は、側板の縁辺に沿って側板に近接して保持孔の一部を塞ぐ塞部を備える。これにより、側板の第１縁辺と一方の枠板との間に隙間があっても、塞部でこの隙間を塞ぐことができるので、電線が側板の第１縁辺と一方の枠板との間に隙間を通って自由に移動することを防止でき、不要なストレスが電線に作用することや、電線の損傷を防止することができる。
【００２２】
本発明に係る照明装置は、光源部と、前述の発明のいずれか１つに係る負荷駆動装置とを備え、該駆動装置は前記光源部を駆動するように構成してあることを特徴とする。
【００２３】
本発明にあっては、電線の損傷を防止することができる照明装置を提供することができる。
【発明の効果】
【００２４】
本発明によれば、電線が接続された被収容部を筐体部に収容する際に電線を被収容部と底板との間で挟み込んでしまうという問題もなく、電線の損傷を防止することができる。
【図面の簡単な説明】
【００２５】
【図１】本発明に係る照明装置の発光面側から見た外観斜視図である。
【図２】本発明に係る照明装置の天井面側から見た外観斜視図である。
【図３】電源ユニットの分解斜視図である。
【図４】電源カバーの構造の一例を示す外観斜視図である。
【図５】電源ユニットをフレームに収容した状態を示す説明図である。
【図６】実施の形態２の電源カバーの構造の一例を示す外観斜視図である。
【図７】実施の形態２の電源ユニットをフレームに収容した状態を示す説明図である。
【図８】実施の形態３の電源カバーの構造の一例を示す外観斜視図である。
【図９】実施の形態３の電源ユニットを収容したフレームを天井に固定した状態を示す説明図である。
【図１０】実施の形態４のフレームに電源ユニットを収容した状態を示す説明図である。
【図１１】実施の形態４での電源ユニットをフレームに収容した状態を示す説明図である。
【図１２】実施の形態４での電源ユニットを収容したフレームを天井に固定した状態を示す説明図である。
【発明を実施するための形態】
【００２６】
実施の形態１
以下、本発明をその実施の形態を示す図面に基づいて説明する。図１は本発明に係る照明装置の発光面側から見た外観斜視図であり、図２は本発明に係る照明装置の天井面側から見た外観斜視図である。図１及び図２に示すように、本発明に係る照明装置は、光源部１０と負荷駆動装置としての電源部５０とを備えている。
【００２７】
図１に示すように、光源部１０は、回路基板に複数のＬＥＤチップが実装されたＬＥＤモジュール１を複数平面上に配置してある。そして、光源部１０は、電源部５０に固定され、両端部にはサイドカバー２を固定してある。なお、図１の例では、ＬＥＤモジュール１を覆う透光板であるパネルを省略している。
【００２８】
図２に示すように、電源部５０は、筐体部としてのフレーム２０、被収容部としての電源ユニット３０などを備えている。また、電源部５０は、商用電源（不図示）からの電源線が接続される端子台４０を備えている。端子台４０から電源ユニット３０へ電線が配線されるとともに、電源ユニット３０からＬＥＤモジュール１へ電線が配線される。
【００２９】
フレーム２０は、所定寸法であって、矩形状の底板２１、底板２１の長手方向の縁部それぞれに離隔して対設された枠板２２、２３などを備えている。フレーム２０は、断面が略コの字状をなしている。電源ユニット３０は、底板２１に当接して枠板２２、２３の間に収容される。
【００３０】
また、フレーム２０の底板２１には、適宜の箇所に天井から垂設されたアンカーボルトに固定するための取り付け穴２６、２６を設けてある。
【００３１】
図３は電源ユニット３０の分解斜視図である。電源ユニット３０は、商用電源側及びＬＥＤモジュール（負荷）側の電線３４が接続され、ＡＣ１００Ｖ、ＡＣ２００Ｖの商用電圧を所要の直流電圧に変換する電源回路部品が実装された電源基板３３、電源基板３３上の回路パターンを絶縁する絶縁シート３２、絶縁シート３２を介して電源基板３３をねじ４１で固定する電源カバー３１などを備えている。
【００３２】
電源カバー３１は、照明装置の取り付け時や保守時に手が直接充電部に触れることを防止するものであり、直方体状の箱体をなす。電源カバー３１は、天板３１０、短手側の側板３１１、３１１、長手側の側板３１５で構成され、電源基板３３を取り付けることができるよう、６面のうち２面が開口されている。また、側板３１１には、電線３４を保持する保持孔３１４を形成してある。なお、本発明では、保持孔は、その一部に電線３４を通すことができる開口を備えるものとする。
【００３３】
図４は電源カバー３１の構造の一例を示す外観斜視図である。図４に示すように、側板３１１は、フレーム２０の一方の枠板２２側の第１縁辺３１２、フレーム２０の底板２１側の第２縁辺３１３を有する。そして、第１縁辺３１２の中途部には、底板２１側の第２縁辺３１３から離隔して電線３４を保持するための保持孔３１４を形成してある。図４の例では、保持孔３１４は、矩形状をなしているが、形状は矩形状に限定されるものではなく、楕円形状、Ｓ字状など他の形状でもよい。また、保持孔３１４は、第２縁辺３１３と平行に設けてあるが、適宜の角度を付けて斜めに形成してもよい。また、保持孔３１４の縁部に丸みをもたせることもできる。これにより電線３４の被覆が損傷することを防止することができる。
【００３４】
図５は電源ユニット３０をフレーム２０に収容した状態を示す説明図である。電源ユニット３０をフレーム２０に収容して固定する場合、図５に示すように、電源基板３３からの電線３４を保持孔３１４に通して保持した状態で、電源ユニット３０をフレーム２０の底板２１の方向（重力方向）へ移動して電源ユニット３０をフレーム２０に固定する。すなわち、電源ユニット３０を本体フレーム２０に収容すべく取り付ける際に保持孔３１４に電線３４を通して保持することができ、また、保持孔３１４は枠板２２側の第２縁辺３１３から離隔しているので、電線３４を電源ユニット３０と底板２１との間で挟み込んでしまうという問題もなく、電線の損傷を防止することができる。
【００３５】
電線３４を保持する保持孔３１４を側板３１１の第１縁辺３１２に設けることにより、電線３４を枠板２２の近傍に沿って配線することができ、部品の取り付け時や照明装置の施工時に電線３４が邪魔になることを防止することもできる。
【００３６】
実施の形態２
図６は実施の形態２の電源カバー３１の構造の一例を示す外観斜視図である。実施の形態１と同様に、側板３１１は、フレーム２０の一方の枠板２２側の第１縁辺３１２、フレーム２０の底板２１側の第２縁辺３１３を有する。そして、図６に示すように、第１縁辺３１２の中途部には、底板２１側の第２縁辺３１３から離隔して電線３４を保持するための第１の保持孔３１４と、第１縁辺３１２から離隔して第２縁辺３１３の方向に沿って第１の保持孔３１４から延設された第２の保持孔３１６とを形成してある。すなわち、保持孔は、略Ｌ字状をなしてある。図６の例では、第１の保持孔３１４、第２の保持孔３１６は、矩形状をなしているが、形状は矩形状に限定されるものではなく、楕円形状、Ｓ字状など他の形状でもよい。保持孔３１４、３１６の縁部に丸みをもたせることもできる。これにより電線３４の被覆が損傷することを防止することができる。
【００３７】
第２の保持孔３１６の長さは、第１の保持孔３１４の長さより長い。これにより、電線３４の量が多い場合でも、一旦電線３４を第１の保持孔３１４から第２の保持孔３１６へ移動して保持すれば、電線３４を一層安定に保持することができる。
【００３８】
また、第２の保持孔３１６の幅は、第１の保持孔３１４の幅より大きい。これにより、一旦電線３４を第１の保持孔３１４から第２の保持孔３１６へ移動して保持すれば、第２の保持孔３１６内で保持された電線３４が幅の小さい第１の保持孔３１４へ移動する可能性が小さくなり、電線３４を確実に保持することができる。なお、第１の保持孔３１４の幅は、一旦保持された電線３４が第１の保持孔３１４から抜け出さない程度に狭くすればよい。また、第１の保持孔３１４に、長さ方向に沿って幅寸法が狭くなるようにテーパー等を形成することにより、電線３４を第１の保持孔に通しやすくし、かつ外れにくくすることができる。
【００３９】
図７は実施の形態２の電源ユニット３０をフレーム２０に収容した状態を示す説明図である。電源ユニット３０をフレーム２０に収容して固定する場合、図７に示すように、電源基板３３からの電線３４を第１の保持孔３１４から第２の保持孔３１６に通して保持した状態で、電源ユニット３０をフレーム２０の底板２１の方向（重力方向）へ移動して電源ユニット３０をフレーム２０に固定する。すなわち、電源ユニット３０をフレーム２０に収容する場合、電源ユニット３０を下方向（重力方向）に向かって取り付けるので、電線３４が第２の保持孔３１６を重力方向に移動し、電線３４を一層安定に保持することができる。
【００４０】
実施の形態３
図８は実施の形態３の電源カバー３１の構造の一例を示す外観斜視図である。実施の形態１と同様に、側板３１１は、フレーム２０の一方の枠板２２側の第１縁辺３１２、フレーム２０の底板２１側の第２縁辺３１３を有する。そして、図８に示すように、第１縁辺３１２の中途部には、底板２１側の第２縁辺３１３から離隔して電線３４を保持するための第１の保持孔３１４と、第１縁辺３１２から離隔して第２縁辺３１３の方向に沿って第１の保持孔３１４から延設された第２の保持孔３１６とを形成してある。また、第１縁辺３１２から離隔して第２縁辺３１３の方向と反対方向に沿って第１の保持孔３１４から延設された第３の保持孔３１７をさらに備える。すなわち、保持孔は、略Ｔ字状をなす。図８の例では、第１の保持孔３１４、第２の保持孔３１６、第３の保持孔３１７は、矩形状をなしているが、形状は矩形状に限定されるものではなく、楕円形状、Ｓ字状など他の形状でもよい。保持孔３１４、３１６、３１７の縁部に丸みをもたせることもできる。これにより電線３４の被覆が損傷することを防止することができる。
【００４１】
第３の保持孔３１７の幅は、第１の保持孔３１４の幅より大きい。これにより、一旦電線３４を第３の保持孔３１７へ移動して保持すれば、第３の保持孔３１７内で保持された電線３４が幅の小さい第１の保持孔３１４へ移動する可能性が小さくなり、電線３４を確実に保持することができる。なお、この場合も実施の形態２と同様に、第３の保持孔３１７の長さを第１の保持孔３１４の長さより長くすることもできる。これにより、電線３４の量が多い場合でも、一旦電線３４を第３の保持孔３１７へ移動して保持すれば、電線３４を一層安定に保持することができる。なお、第１の保持孔３１４の幅は、一旦保持された電線３４が第１の保持孔３１４から抜け出さない程度に狭くすればよい。また、第１の保持孔３１４に、長さ方向に沿って幅寸法が狭くなるようにテーパー等を形成することにより、電線３４を第１の保持孔に通しやすくし、かつ外れにくくすることができる。
【００４２】
図９は実施の形態３の電源ユニット３０を収容したフレーム２０を天井に固定した状態を示す説明図である。電源ユニット３０をフレーム２０に収容して固定する場合には、電源基板３３からの電線３４を第１の保持孔３１４から第２の保持孔３１６に通して保持した状態で、電源ユニット３０をフレーム２０の底板２１の方向（重力方向）へ移動して電源ユニット３０をフレーム２０に固定する。そして、電源ユニット３０を収容したフレーム２０を天井等に固定する場合には、底板２１が上方になり、第２の保持孔３１６に保持された電線３４が重力の作用で第３の保持孔３１７に移動して第３の保持孔３１７で保持されるので、取り付け向きに関わらず電線３４を安定に保持することができる。
【００４３】
実施の形態４
図１０は実施の形態４のフレーム２０に電源ユニット３０を収容した状態を示す説明図である。図１０に示すように、一方の枠板２２の内側には、電源ユニット３０の長手方向の寸法だけ離隔して塞部としてのガイド２５を設けてある。ガイド２５の長さ寸法は、側板３１１の第１縁辺３１２の長さより短く、底板２１に当接した状態で設けてある。また、ガイド２５の高さ寸法は、第１の保持孔３１４の長さより短くしてある。これにより、ガイド２５は、保持孔３１４の一部を塞ぐようにしてある。また、ガイド２５の高さ寸法は、側板３１１の第１縁辺３１２と一方の枠板２２との隙間寸法より大きくしてある。なお、ガイド２５の長さは、第１の保持孔３１４の幅の部分を塞ぐことができる寸法であればよく、底板２１に当接していなくてもよい。
【００４４】
図１１は実施の形態４での電源ユニット３０をフレーム２０に収容した状態を示す説明図である。ガイド２５を設けることにより、側板３１１の第１縁辺３１２と一方の枠板２２との間に隙間があっても、ガイド２５でこの隙間を塞ぐことができるので、電線３４が側板３１１の第１縁辺３１２と一方の枠板２２との間に隙間を通って自由に移動することを防止でき、不要なストレスが電線３４に作用することや、電線３４の損傷を防止することができる。
【００４５】
図１２は実施の形態４での電源ユニット３０を収容したフレーム２０を天井に固定した状態を示す説明図である。この状態でも、ガイド２５を設けることにより、側板３１１の第１縁辺３１２と一方の枠板２２との間に隙間があっても、ガイド２５でこの隙間を塞ぐことができるので、電線３４が側板３１１の第１縁辺３１２と一方の枠板２２との間に隙間を通って自由に移動することを防止でき、不要なストレスが電線３４に作用することや、電線３４の損傷を防止することができる。
【００４６】
実施の形態４では、電源カバー３１が実施の形態２の場合を例として挙げて説明したが、電源カバー３１は、実施の形態１、３の場合も同様であり、ガイド２５を設けることにより、側板３１１の第１縁辺３１２と一方の枠板２２との間に隙間があっても、ガイド２５でこの隙間を塞ぐことができるので、電線３４が側板３１１の第１縁辺３１２と一方の枠板２２との間に隙間を通って自由に移動することを防止でき、不要なストレスが電線３４に作用することや、電線３４の損傷を防止することができる。
【００４７】
以上説明したように、本発明によれば、内部から電線３４が出ている電源ユニット３０をフレーム２０に収容すべく取り付ける際に電源カバー３１の側板３１１の第１縁辺３１２に形成された保持孔３１４に電線３４を通して保持することができるので、電線３４が自由にフレーム２０内を移動することを防止でき、また、保持孔３１４は底板２１側の第２縁辺３１３から離隔しているので、電源ユニット３０をフレーム２０に収容する際に電線３４を電源カバー３１と底板２１との間で挟み込んでしまうという問題もなく電線３４の損傷を防止することができる。  
【００４８】
上述の実施の形態では、照明装置は、長方形状のいわゆるストレート型の照明装置であったが、照明装置の形状は、ストレート型に限定されるものではなく、いわゆるスクウェア型や円形状のもであってもよい。また、光源部としてＬＥＤモジュールを備える例で説明したが、光源部はＬＥＤ照明に限定されるものではなく、蛍光灯や白熱灯であってもよい。また、本発明は、電線が接続された電源ユニットを筐体に収容する構造を備えるものであれば、照明装置だけに限定されるものではなく、他の電気機器、電子装置等にも適用することができる。
【００４９】
上述の実施の形態では、２つ側板の両方に保持孔を備える構成であったが、これに限定されるものではなく、フレーム内での電線の配線位置に応じて、一方のみの側板だけに保持孔を備える構成でもよい。なお、２つの側板に設けた保持孔の大きさ（長さ、幅）を配線する電線の量に応じて変えることもできる。例えば、一方の保持孔を他方より大きくしてもよい。
【００５０】
上述の実施の形態では、側板に保持孔を設ける構成であったが、保持孔と第１縁辺との間の板状部分に弾性力を付勢して、弾性力が付勢された板状部分により電線が抜け出さないようにしてもよい。
【符号の説明】
【００５１】
１  ＬＥＤモジュール
１０  光源部
２０  フレーム
２１  底板
２２  枠板（一方の枠板）
２３  枠板
２５  ガイド（塞部）
３０  電源ユニット（被収容部）
３１  電源カバー
３１１  側板
３１２  第１縁辺
３１３  第２縁辺
３１４  第１の保持孔（第１保持孔、保持孔）
３１６  第２の保持孔（第２保持孔、保持孔）
３１７  第３の保持孔（第３保持孔、保持孔）
３３  電源基板（駆動部）
３４  電線
５０  電源部（負荷駆動装置）
【図１】
2010238621.tif 000003
【図２】
2010238621.tif 000004
【図３】
2010238621.tif 000005
【図４】
2010238621.tif 000006
【図５】
2010238621.tif 000007
【図６】
2010238621.tif 000008
【図７】
2010238621.tif 000009
【図８】
2010238621.tif 000010
【図９】
2010238621.tif 000011
【図１０】
2010238621.tif 000012
【図１１】
2010238621.tif 000013
【図１２】
2010238621.tif 000014